(57)【要約】【課題】本発明は、駆動部を改善して駆動素子の数を減らすことができるプラズマディスプレイ装置を提供する。【解決手段】電極を備えるプラズマディスプレイパネルと、セットダウン期間の第１持続時間の間に第１電圧まで次第に下降するセットダウンパルス、及びアドレス期間の第２持続時間の間に前記第１電圧を形成するスイッチ部を備える電圧制御部と、前記アドレス期間において第２電圧を形成するスキャン動作部と、前記セットダウン期間において前記セットダウンパルスを前記電極に供給し、前記アドレス期間に前記第１電圧と前記第２電圧の合計電圧又は前記第１電圧を前記電極に供給する駆動信号供給部とを備える。【選択図】図１
2007114795.tif 000002
【特許請求の範囲】
【請求項１】
電極を備えるプラズマディスプレイパネルと、
セットダウン期間の第１持続時間の間に第１電圧まで次第に下降するセットダウンパルス、及びアドレス期間の第２持続時間の間に前記第１電圧を形成するスイッチ部を備える電圧制御部と、
前記アドレス期間において第２電圧を形成するスキャン動作部と、
前記セットダウン期間において前記セットダウンパルスを前記電極に供給し、前記アドレス期間において前記第１電圧と前記第２電圧の合計電圧または前記第１電圧を前記電極に供給する駆動信号供給部と
を備えるプラズマディスプレイ装置。
【請求項２】
前記スイッチ部は、
前記第１持続時間及び前記第２持続時間の間にターンオンすることを特徴とする請求項１に記載のプラズマディスプレイ装置。
【請求項３】
前記スイッチ部は、
前記第１持続時間の間にアクティブ領域で動作し、前記第２持続時間の間に飽和領域で動作することを特徴とする請求項１に記載のプラズマディスプレイ装置。
【請求項４】
前記駆動信号供給部は、前記電極に前記第１電圧に維持されるスキャン信号を供給することを特徴とする請求項１に記載のプラズマディスプレイ装置。
【請求項５】
セットアップ期間においてサステイン電圧から前記サステイン電圧の２倍の電圧まで上昇するセットアップパルスを形成するセットアップ制御部をさらに備えることを特徴とする請求項１に記載のプラズマディスプレイ装置。
【請求項６】
電極を備えるプラズマディスプレイパネルと、
セットダウン期間の第１持続時間の間に第１電圧まで次第に下降するセットダウンパルス、及びアドレス期間の第２持続時間の間に前記第１電圧を形成するスイッチ部を備える電圧制御部と、
前記アドレス期間に第２電圧を形成するために前記スイッチ部の一方と接続するソース電圧源を備えるスキャン動作部と、
前記セットダウン期間において前記セットダウンパルスを前記電極に供給し、前記アドレス期間において前記第１電圧と前記第２電圧の合計電圧または前記第１電圧を前記電極に供給するための第１スイッチ部を備える駆動信号供給部と
を備えるプラズマディスプレイ装置。
【請求項７】
前記電圧制御部のスイッチ部は、前記第１持続時間及び前記第２持続時間の間にターンオンすることを特徴とする請求項６に記載のプラズマディスプレイ装置。
【請求項８】
前記スキャン動作部のスイッチ部は、前記第１持続時間の間にアクティブ領域で動作し、前記第２持続時間の間に飽和領域で動作することを特徴とする請求項６に記載のプラズマディスプレイ装置。
【請求項９】
前記駆動信号供給部は、前記電極に前記第１電圧に維持されるスキャンパルスを供給するための第２スイッチ部をさらに備え、
前記第２スイッチ部の一方は前記電圧制御部のスイッチ部の一方と接続されることを特徴とする請求項６に記載のプラズマディスプレイ装置。
【請求項１０】
前記第２スイッチ部が前記スキャンパルスを供給するとき、前記電圧制御部のスイッチ部は飽和領域で作動することを特徴とする請求項９に記載のプラズマディスプレイ装置。
【請求項１１】
セットアップ期間にサステイン電圧から前記サステイン電圧の２倍の電圧まで上昇するセットアップパルスを形成するセットアップ制御部をさらに備える請求項６に記載のプラズマディスプレイ装置。
【請求項１２】
電極を備えるプラズマディスプレイパネルと、
セットダウン期間の第１持続時間の間に第１電圧まで次第に下降するセットダウンパルス、及びアドレス期間の第２持続時間の間に前記第１電圧を形成するスイッチ部を備える電圧制御部と、
前記アドレス期間において第２電圧を形成するスキャン動作部と、
前記セットダウン期間において前記セットダウンパルスを前記電極に供給し、前記アドレス期間において前記第１電圧と前記第２電圧の合計電圧または前記第１電圧を前記電極に供給する駆動信号供給部と、
前記スイッチ部にターンオン制御信号を出力するコントローラと
を備えるプラズマディスプレイ装置。
【請求項１３】
前記スイッチ部は、
前記第１持続時間の間にアクティブ領域で動作し、前記第２持続時間の間に飽和領域で動作することを特徴とする請求項１２に記載のプラズマディスプレイ装置。
【請求項１４】
前記駆動信号供給部は、前記電極に前記第１電圧に維持されるスキャン信号を供給することを特徴とする請求項１２に記載のプラズマディスプレイ装置。
【請求項１５】
セットアップ期間にサステイン電圧から前記サステイン電圧の２倍の電圧まで上昇するセットアップパルスを形成するセットアップ制御部をさらに備える請求項１２に記載のプラズマディスプレイ装置。
【発明の詳細な説明】
【技術分野】
【０００１】
本発明は、プラズマディスプレイ装置に関する。
【背景技術】
【０００２】
プラズマディスプレイ装置は、放電セル内に主放電気体と不活性ガスが充填されたプラズマディスプレイパネルを備える。高周波電圧がプラズマディスプレイパネルの電極に供給されると、不活性ガスは、真空紫外線（Ｖａｃｕｕｍ  Ｕｌｔｒａｖｉｏｌｅｔ  ｒａｙｓ）を発生し、真空紫外線は、プラズマディスプレイパネルの隔壁の間に形成された蛍光体を発光させる。
【０００３】
プラズマディスプレイ装置は、フレームを構成するサブフィールドごとに画像を表示する。各サブフィールドは、放電セルを初期化させるためのリセット期間、放電されるセルを選択するためのアドレス期間、及び放電回数に応じて階調を具現するサステイン期間を備える。
【０００４】
リセット期間のセットアップ期間には、スキャン電極にセットアップパルスが供給される。セットアップパルスにより、弱い暗放電（Ｄａｒｋ  Ｄｉｓｃｈａｒｇｅ）が放電セルから起きる。セットアップパルスによる暗放電により、プラズマディスプレイパネルのアドレス電極とサステイン電極上には正極性壁電荷が蓄積され、スキャン電極上には負極性の壁電荷が蓄積される。
【０００５】
リセット期間のセットダウン期間には、スキャン電極にセットダウンパルスが供給される。セットダウンパルスによりスキャン電極に過度に形成された壁電荷の一部が消去され、放電セルの壁電荷が均一となる。
【０００６】
アドレス期間には、スキャンパルスがスキャン電極に供給され、アドレス電極にデータパルスが供給される。スキャンパルスとデータパルスとの電圧差と、リセット期間において生成された壁電圧とが加算されることにより、放電セルが選択される。
【０００７】
サステイン期間には、スキャン電極とサステイン電極にサステインパルスが供給され、アドレス期間において選択された放電セルからサステイン放電が発生する。これにより、プラズマディスプレイ装置は画像を表示する。
【０００８】
プラズマディスプレイ装置の駆動部は、リセット期間、アドレス期間及びサステイン期間において駆動パルスをプラズマディスプレイパネルの電極に供給する。すなわち、駆動部は、リセット期間のセットアップパルス及びセットダウンパルス、アドレス期間のデータパルス及びスキャンパルス、及びサステイン期間のサステインパルスを供給する。
【０００９】
プラズマディスプレイ装置の駆動部は、セットアップ期間、セットダウン期間、アドレス期間及びサステイン期間に応じてプラズマディスプレイパネルの放電セルを駆動しなければならないため、駆動部の回路構成が複雑になるという問題がある。特に、駆動部がセットアップ期間及びセットダウン期間の駆動パルスを具現するためには、駆動部に含まれた駆動素子の数が増加するので、プラズマディスプレイ装置の製造費用が高まるという問題が発生する。
【発明の開示】
【発明が解決しようとする課題】
【００１０】
本発明は、上述の問題点に鑑みてなされたもので、その目的は、駆動部を改善して駆動素子の数を減らすことができるプラズマディスプレイ装置を提供することにある。
【００１１】
また、本発明の他の目的は、製造費用を下げることができるプラズマディスプレイ装置を提供することにある。
【課題を解決するための手段】
【００１２】
上記の目的を達成すべく、本発明の実施の形態に係るプラズマディスプレイ装置によれば、電極を備えるプラズマディスプレイパネルと、セットダウン期間の第１持続時間の間に第１電圧まで次第に下降するセットダウンパルス、及びアドレス期間の第２持続時間の間に前記第１電圧を形成するスイッチ部を備える電圧制御部と、前記アドレス期間において第２電圧を形成するスキャン動作部と、前記セットダウン期間において前記セットダウンパルスを前記電極に供給し、前記アドレス期間において前記第１電圧及び前記第２電圧を前記電極に供給する駆動信号供給部と、を備える。
【００１３】
また、本発明の他の実施の形態に係るプラズマディスプレイ装置によれば、電極を備えるプラズマディスプレイパネルと、セットダウン期間の第１持続時間の間に第１電圧まで次第に下降するセットダウンパルス、及びアドレス期間の第２持続時間の間に前記第１電圧を形成するスイッチ部を備える電圧制御部と、前記アドレス期間において第２電圧を形成するために前記スイッチ部の一方と接続するソース電圧源を備えるスキャン動作部と、前記セットダウン期間において前記セットダウンパルスを前記電極に供給し、前記アドレス期間において前記第１電圧及び前記第２電圧を前記電極に供給するための第１スイッチ部を備える駆動信号供給部と、を備える。
【００１４】
また、本発明の他の実施の形態に係るプラズマディスプレイ装置によれば、電極を備えるプラズマディスプレイパネルと、セットダウン期間の第１持続時間の間に第１電圧まで次第に下降するセットダウンパルス、及びアドレス期間の第２持続時間の間に前記第１電圧を形成するスイッチ部を備える電圧制御部と、前記アドレス期間において第２電圧を形成するスキャン動作部と、前記セットダウン期間において前記セットダウンパルスを前記電極に供給し、前記アドレス期間において前記第１電圧及び前記第２電圧を前記電極に供給する駆動信号供給部と、前記スイッチ部にターンオン制御信号を出力するコントローラとを備える。
【発明の効果】
【００１５】
本発明によれば、駆動部の駆動素子の数を減らすことによって、プラズマディスプレイ装置の製造費用を下げることができる。
【発明を実施するための最良の形態】
【００１６】
以下、本発明の好ましい実施の形態を、添付図面に基づき詳細に説明する。
【００１７】
本発明の実施の形態に係るプラズマディスプレイ装置は、電極を備えるプラズマディスプレイパネルと、セットダウン期間の第１持続時間の間に第１電圧まで次第に下降するセットダウンパルス、及びアドレス期間の第２持続時間の間に前記第１電圧を形成するスイッチ部を備える電圧制御部と、前記アドレス期間において第２電圧を形成するスキャン動作部と、前記セットダウン期間において前記セットダウンパルスを前記電極に供給し、前記アドレス期間において前記第１電圧及び前記第２電圧を前記電極に供給する駆動信号供給部とを備える。
【００１８】
前記スイッチ部は、前記第１持続時間及び前記第２持続時間の間にターンオンすることができる。
【００１９】
前記スイッチ部は、前記第１持続時間の間にアクティブ領域で動作し、前記第２持続時間の間に飽和領域で動作することができる。
【００２０】
前記駆動信号供給部は、前記電極に前記第１電圧に維持されるスキャン信号を供給することができる。
【００２１】
セットアップ期間にサステイン電圧から前記サステイン電圧の２倍の電圧まで上昇するセットアップパルスを形成するセットアップ制御部をさらに備えることができる。
【００２２】
本発明の他の実施の形態に係るプラズマディスプレイ装置は、電極を備えるプラズマディスプレイパネルと、セットダウン期間の第１持続時間の間に第１電圧まで次第に下降するセットダウンパルス、及びアドレス期間の第２持続時間の間に前記第１電圧を形成するスイッチ部を備える電圧制御部と、前記アドレス期間において第２電圧を形成するために前記スイッチ部の一方と接続するソース電圧源を備えるスキャン動作部と、前記セットダウン期間において前記セットダウンパルスを前記電極に供給し、前記アドレス期間において前記第１電圧及び前記第２電圧を前記電極に供給するための第１スイッチ部を備える駆動信号供給部とを備える。
【００２３】
前記電圧制御部のスイッチ部が、前記第１持続時間及び前記第２持続時間の間にターンオンすることができる。
【００２４】
前記スキャン動作部のスイッチ部が、前記第１持続時間の間にアクティブ領域で動作し、前記第２持続時間の間に飽和領域で動作することができる。
【００２５】
前記駆動信号供給部は、前記電極に前記第１電圧に維持されるスキャンパルスを供給するための第２スイッチ部をさらに備え、前記第２スイッチ部の一方が、前記電圧制御部のスイッチ部の一方と接続されることができる。
【００２６】
前記第２スイッチ部が前記スキャンパルスを供給するとき、前記電圧制御部のスイッチ部が飽和領域で作動することができる。
【００２７】
セットアップ期間にサステイン電圧から前記サステイン電圧の２倍の電圧まで上昇するセットアップパルスを形成するセットアップ制御部をさらに備えることができる。
【００２８】
本発明の他の実施の形態に係るプラズマディスプレイ装置は、電極を備えるプラズマディスプレイパネルと、セットダウン期間の第１持続時間の間に第１電圧まで次第に下降するセットダウンパルス、及びアドレス期間の第２持続時間の間に前記第１電圧を形成するスイッチ部を備える電圧制御部と、前記アドレス期間において第２電圧を形成するスキャン動作部と、前記セットダウン期間において前記セットダウンパルスを前記電極に供給し、前記アドレス期間において前記第１電圧及び前記第２電圧を前記電極に供給する駆動信号供給部と、前記スイッチ部にターンオン制御信号を出力するコントローラとを備える。
【００２９】
前記スイッチ部は、前記第１持続時間の間にアクティブ領域で動作し、前記第２持続時間の間に飽和領域で動作することができる。
【００３０】
前記駆動信号供給部は、前記電極に前記第１電圧に維持されるスキャン信号を供給することができる。
【００３１】
セットアップ期間にサステイン電圧から前記サステイン電圧の２倍の電圧まで上昇するセットアップパルスを形成するセットアップ制御部をさらに備えることができる。
【００３２】
以下では、本発明に係る具体的な実施の形態を、添付した図面を参照して説明する。
【００３３】
図１は、本発明の実施の形態に係るプラズマディスプレイ装置を示した図である。同図に示すように、本発明の実施の形態に係るプラズマディスプレイ装置は、プラズマディスプレイパネル１００、エネルギー供給／回収制御部１１０、サステイン制御部１２０、セットアップ制御部１３０、電圧制御部１４０、スキャン動作部１５０、駆動信号供給部１６０、及びコントローラ１７０で構成される。
【００３４】
エネルギー供給／回収制御部１１０は、キャパシタＣｅｒに格納されたエネルギーをプラズマディスプレイパネル１００のスキャン電極Ｙに供給するか、あるいは、エネルギーをスキャン電極ＹからキャパシタＣｅｒに回収する。エネルギー供給／回収制御部１１０は、キャパシタＣｅｒの一方に接続したエネルギー供給用スイッチＱ２１、及びエネルギー回収用スイッチＱ２２を備える。エネルギー供給用スイッチＱ２１は、キャパシタＣｅｒからプラズマディスプレイパネル１００のスキャン電極Ｙに電流を流れるようにするためのダイオードＤ１０のアノード端と接続される。また、エネルギー回収用スイッチＱ２２は、プラズマディスプレイパネル１００のスキャン電極ＹからキャパシタＣｅｒに電流を流れるようにするためのダイオードＤ１１のカソード端と接続される。
【００３５】
サステイン制御部１２０は、サステイン期間においてサステイン放電を起こすために、サステイン電圧Ｖｓ又はグラウンドレベルの電圧ＧＮＤをプラズマディスプレイパネル１００のスキャン電極Ｙに供給する。サステイン制御部１２０は、スキャン電極Ｙにサステイン電圧Ｖｓを供給するためのサステインアップスイッチＱ２３、及びグラウンドレベルの電圧ＧＮＤを供給するためのサステインダウンスイッチＱ２４を備える。サステイン制御部１２０は、エネルギーがスキャン電極Ｙに供給されるか、あるいは、回収される際、共振を形成するためのインダクターＬ１０を備える。
【００３６】
セットアップ制御部１３０は、リセット期間のセットアップ期間においてサステイン電圧Ｖｓからセットアップ電圧Ｖｓｔまで上昇するセットアップパルスを形成する。セットアップ制御部１３０のキャパシタＣ１０は、初期条件としてセットアップ電圧Ｖｓｔを充電する。サステイン制御部１２０のスイッチＱ２３、スイッチＱ２９及びスイッチＱ３０がターンオンすると、サステイン電圧ＶｓがキャパシタＣ１０及びスキャン電極Ｙに供給され、ダイオードＤ１４のカソード端と接続したキャパシタＣ１０の一方の電位は、サステイン電圧Ｖｓとセットアップ電圧Ｖｓｔとの和Ｖｓ＋Ｖｓｔまで上昇する。また、セットアップ制御部１３０のスイッチＱ２５がアクティブ領域で動作すると、サステイン電圧Ｖｓからサステイン電圧とセットアップ電圧との和Ｖｓ＋Ｖｓｔまで次第に上昇するセットアップパルスが形成される。スイッチＱ２５のゲート端に接続した第１可変抵抗ＶＲ１は、セットアップパルスのチャネル幅を調節する。セットアップ電圧Ｖｓｔの大きさは、サステイン電圧Ｖｓの大きさと実質的に同じであり得る。これにより、セットアップパルスの最高電圧は、２Ｖｓになり得る。セットアップ電圧Ｖｓｔの大きさがサステイン電圧Ｖｓの大きさと実質的に同であると、プラズマディスプレイ装置の回路構成を簡単にすることができ、プラズマディスプレイ装置の製造費用を下げることができる。
【００３７】
電圧制御部１４０は、セットダウン期間の第１持続時間の間にサステイン電圧Ｖｓから第１電圧−Ｖｙまで次第に下降するセットダウンパルス、及びアドレス期間の第２持続時間の間に第１電圧−Ｖｙを形成するスイッチ部１４５を備える。第１持続時間は、スイッチ部１４５のスイッチＱ２８がアクティブ領域で動作する時間であり、第２持続時間は、スイッチ部１４５のスイッチＱ２８が飽和領域で動作する時間である。すなわち、電圧制御部１４０のスイッチＱ２８が、第１持続時間及び第２持続時間の間にターンオンし続けると、スイッチＱ２８は、アクティブ領域で動作する第１持続時間の間にセットダウンパルスを形成し、飽和領域で動作する第２持続時間の間に第１電圧−Ｖｙのパルスを形成する。電圧制御部１４０は、スイッチＱ２８のゲート端に接続した第２可変抵抗ＶＲ２を備える。第２可変抵抗ＶＲ２の抵抗大きさの変化に応じて、セットダウンパルスのチャネル幅が調整される。すなわち、本発明の実施の形態に係るプラズマディスプレイ装置の電圧制御部１４０は、１つのスイッチＱ２８を介してセットダウンパルス及び第１電圧−Ｖｙを形成するため、プラズマディスプレイ装置の回路構成を簡単にすることができ、かつプラズマディスプレイ装置の製造費用を減らすことができる。
【００３８】
スキャン動作部１５０は、アドレス期間において第２電圧Ｖｓｃａｎを形成する。スキャン動作部１５０のキャパシタＣ１１が第２電圧Ｖｓｃａｎを充電した状態で電圧制御部１４０のスイッチ部１４５が飽和領域で動作すると、第１電圧−ＶｙがキャパシタＣ１１の一方を介して供給されるため、キャパシタＣ１１の他方の電圧は、第１電圧−Ｖｙと第２電圧Ｖｓｃａｎとの和−Ｖｙ＋Ｖｓｃａｎとなる。第１電圧−Ｖｙと第２電圧Ｖｓｃａｎとの和−Ｖｙ＋Ｖｓｃａｎは、アドレス期間中にスキャンパルスが供給されないときにスキャン電極に供給されるスキャンバイアス電圧である。スキャン動作部１５０のダイオードＤ１５は、第２電圧Ｖｓｃａｎを供給するソース電圧源１５５に流れる逆電流を遮断する。
【００３９】
駆動信号供給部１６０は、セットダウン期間においてセットダウンパルスをスキャン電極Ｙに供給し、アドレス期間において第１電圧−Ｖｙ及び第２電圧Ｖｓｃａｎをスキャン電極Ｙに供給する。駆動信号供給部１６０は、２つのスイッチＱ２６、Ｑ２７を備える。駆動信号供給部１６０のスイッチＱ２６がターンオンすると、スイッチＱ２７はターンオフし、スイッチＱ２７がターンオンすると、スイッチＱ２６はターンオフする。スイッチＱ２６は、セットダウン期間において電圧制御部１４０のスイッチ部１４５が第１持続時間の間にアクティブ領域で動作するとき、スイッチ部１４５が形成するセットダウンパルスをスキャン電極Ｙに供給する。また、スイッチＱ２６は、アドレス期間において電圧制御部１４０のスイッチ部１４５が第２持続時間の間に飽和領域で動作するとき、スイッチ部１４５が形成する第１電圧−Ｖｙをスキャン電極Ｙに供給する。第１電圧−Ｖｙは、スキャン電極Ｙに供給されるスキャンパルスの最低電圧である。スイッチＱ２７は、スキャンバイアス電圧−Ｖｙ＋Ｖｓｃａｎをスキャン電極Ｙに供給する。
【００４０】
コントローラ１７０は、図１に示すプラズマディスプレイ装置のスイッチのターンオン又はターンオフを制御するターンオン制御信号を出力する。
【００４１】
次に、図面を参照して、本発明の実施の形態に係るプラズマディスプレイ装置の動作を詳細に説明する。
【００４２】
図２は、本発明の実施の形態に係るプラズマディスレイ装置のセットダウン区間での電流パスを示した図である。
【００４３】
図４のセットアップ期間において、スイッチＱ２３、スイッチＱ２９、スイッチＱ３０及びスイッチＱ２６はターンオンする。これにより、スキャン電極Ｙにサステイン電圧Ｖｓが供給される。また、セットアップ電圧Ｖｓｔが充電されたキャパシタＣ１０の一方ｎ１の電位は、サステイン電圧Ｖｓとセットアップ電圧Ｖｓｔとの和Ｖｓ＋Ｖｓｔまで上昇する。
【００４４】
スイッチＱ２５がアクティブ領域でターンオンすると、サステイン電圧Ｖｓからサステイン電圧Ｖｓとセットアップ電圧Ｖｓｔとの和Ｖｓ＋Ｖｓｔまで次第に上昇するセットアップパルスがスキャン電極Ｙに供給される。
【００４５】
図４のセットダウン期間においてスイッチＱ３０はターンオフし、スイッチＱ２８は第１持続時間（Ｔ１−Ｔ０）の間にターンオンし、スイッチＱ２６はターンオン状態を維持する。スイッチＱ２８は、アクティブ領域で動作するため、サステイン電圧Ｖｓから第１電圧−Ｖｙまで次第に下降するセットダウンパルスがスキャン電極Ｙに供給される。これにより、スキャン電極Ｙ、スイッチＱ２６及びスイッチＱ２８を備える電流パスが形成される。
【００４６】
図３は、本発明の実施の形態に係るプラズマディスプレイ装置のアドレス期間での電流パスを示した図である。
【００４７】
図４のアドレス期間において、スイッチＱ２８はターンオン状態を維持し、スイッチＱ２６はターンオフし、スイッチＱ２７はターンオンする。これにより、スイッチＱ２８は、第２持続時間の間に飽和領域で動作するため、スイッチＱ２８は第１電圧−Ｖｙを供給する。スイッチＱ２８が第１電圧−Ｖｙを供給すると、キャパシタＣ１１の他方ｎ２の電圧は、第１電圧−Ｖｙと第２電圧Ｖｓｃａｎとの和−Ｖｙ＋Ｖｓｃａｎとなり、第１電圧−Ｖｙと第２電圧Ｖｓｃａｎとの和−Ｖｙ＋Ｖｓｃａｎが、スイッチＱ２７を介してスキャン電圧Ｙに供給される。第１電圧−Ｖｙと第２電圧Ｖｓｃａｎとの和−Ｖｙ＋Ｖｓｃａｎは、スキャンバイアス電圧と実質的に同じである。これにより、スイッチＱ２７、キャパシタＣ１１、スイッチＱ２８を備える電流パス（点線で図示）が形成される。
【００４８】
図４のアドレス期間において、スイッチＱ２８はターンオン状態を維持し、スイッチＱ２６はターンオンし、スイッチＱ２７はターンオフする。これにより、スイッチＱ２８は第２持続時間の間に飽和領域で動作するため、スイッチＱ２８は第１電圧−Ｖｙを供給し続ける。スイッチＱ２８は第１電圧−Ｖｙを供給し続け、スイッチＱ２６はターンオンすると、スキャン電極Ｙに第１電圧−Ｖｙが供給される。すなわち、スキャン電極Ｙに第１電圧−Ｖｙと実質的に同じ最低電圧を有するスキャンパルスが供給される。これにより、スキャン電極Ｙ、スイッチＱ２６及びスイッチＱ２８を備える電流パス（太い実線で図示）が形成される。
【００４９】
図２〜図４を通じて説明したように、本願発明のプラズマディスプレイ装置は、１つのスイッチＱ２８を介してセットダウンパルス、スキャンバイアス電圧及びスキャンパルスを形成するため、プラズマディスプレイ装置の回路構成を簡単にすることができ、プラズマディスプレイ装置の製造費用を減らすことができる。
【００５０】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００５１】
【図１】本発明の実施の形態に係るプラズマディスプレイ装置を示した図である。
【図２】本発明の実施の形態に係るプラズマディスレイ装置のセットダウン区間での電流パスを示した図である。
【図３】本発明の実施の形態に係るプラズマディスプレイ装置のアドレス期間での電流パスを示した図である。
【図４】図２及び図３の電流パスを形成するためのターンオン制御信号の波形を示した図である。
【図１】
2007114795.tif 000003
【図２】
2007114795.tif 000004
【図３】
2007114795.tif 000005
【図４】
2007114795.tif 000006